(57)【要約】      （修正有）【課題】発光面における輝度むらあるいは色むらを低減することの可能な発光装置を提供する。【解決手段】発光装置は、光入射面を有する導光部１１Ａ、１１Ｂと、導光部１１Ａ、１１Ｂの光入射面に対向すると共に第１方向に沿って配列され、それぞれが出射強度において異方性を有する複数の光源１０とを備えたものである。複数の光源１０から光入射面に照射されるパターン形状は形状異方性を有し、複数の光源１０はそれぞれ、パターン形状における長手方向が第１方向に対して傾斜するように、配置されている。【選択図】図２
2015090959.tif 000002
【特許請求の範囲】
【請求項１】
光入射面を有する導光部と、
前記導光部の前記光入射面に対向すると共に第１方向に沿って配列され、それぞれが出射強度において異方性を有する複数の光源と
を備え、
前記複数の光源から前記光入射面に照射されるパターン形状は形状異方性を有し、
前記複数の光源はそれぞれ、前記パターン形状における長手方向が前記第１方向に対して傾斜するように、配置されている
発光装置。
【請求項２】
前記複数の光源は、
出射光における半値角の最大値に対する最小値の比率が互いに異なる２種以上の光源を含み、
前記比率が小さいほど、前記長手方向の前記第１方向に対する第１傾斜角度が大きくなるように配置されている
請求項１に記載の発光装置。
【請求項３】
前記複数の光源は、各光軸が、前記光入射面に垂直な第２方向に対して傾斜するように配置されている
請求項１に記載の発光装置。
【請求項４】
前記複数の光源は、
出射光における半値角の最大値に対する最小値の比率が互いに異なる２種以上の光源を含み、
前記比率が小さいほど、前記光軸の前記第２方向に対する第２傾斜角度が大きくなるように配置されている
請求項３に記載の発光装置。
【請求項５】
前記２種以上の光源は、赤色，緑色および青色のいずれかの色光を出射するレーザダイオードである
請求項２に記載の発光装置。
【請求項６】
以下の条件式（１）を満たす
請求項１に記載の発光装置。
２×Ｌ1×ｔａｎθａ×ｓｉｎθｒ≦ｔ    ………（１）
但し、
Ｌ1：光源と導光部との間の距離
θａ：光源の出射光における半値角の最大値
θｒ：長手方向の第１方向に対する第１傾斜角度
ｔ：導光部の厚み
とする。
【請求項７】
前記複数の光源のうち、出射光における半値角の最大値に対する最小値の比率が互いに等しい光源同士の間で、以下の条件式（２）から（４）を満たす
請求項１に記載の発光装置。
Ｐ1／２／ｔａｎθ2＜Ｌ2                    ………（２）
θ2＝ｓｉｎ-1（ｓｉｎθ1／ｎ）            ………（３）
θ1＝ｔａｎ-1（ｔａｎθａ×ｃｏｓθｒ）    ………（４）
但し、
Ｌ2：導光部における光入射面から有効利用領域までの距離
Ｐ1：半値角の最大値に対する最小値の比率が互いに等しい光源同士の間隔
ｎ：導光部の屈折率
θａ：光源の出射光における半値角の最大値
θｒ：長手方向の第１方向に対する第１傾斜角度
【請求項８】
前記導光部における前記光入射面から前記有効利用領域までの距離Ｌ2は、前記導光部の導光長の１／３に相当する
請求項７に記載の発光装置。
【請求項９】
前記導光部は、
互いに対向する一対の主面を含む板状部材であり、
前記一対の主面のうちの一方の主面が光射出面であり、前記板状部材の側面が前記光入射面である
請求項１に記載の発光装置。
【請求項１０】
前記導光部が積層された第１導光部と第２導光部とを有し、
前記第１導光部の光入射面と前記第２導光部の光入射面とは、積層方向において互いに重畳しないように配置されている
請求項９に記載の発光装置。
【請求項１１】
前記複数の光源は、
前記第１導光部の光入射面に対向配置された第１光源と、
前記第２導光部の光入射面に対向配置された第２光源とを含み、
発光面に平行な面内において、前記第１光源と前記第２光源とが互いに異なる軸上に配置されている
請求項１０に記載の発光装置。
【請求項１２】
前記複数の光源はそれぞれ、青色光を出射するレーザダイオードであり、
前記導光部の光射出面に対向して波長変換シートを更に備えた
請求項１に記載の発光装置。
【請求項１３】
前記複数の光源は、レーザダイオードと発光ダイオードとを含む
請求項１に記載の発光装置。
【請求項１４】
表示パネルと、前記表示パネルを照明する発光装置とを備え、
前記発光装置は、
光入射面を有する導光部と、
前記導光部の前記光入射面に対向すると共に第１方向に沿って配列され、それぞれが出射強度において異方性を有する複数の光源と
を備え、
前記複数の光源から前記光入射面に照射されるパターン形状は形状異方性を有し、
前記複数の光源はそれぞれ、前記パターン形状における長手方向が前記第１方向に対して傾斜するように、配置されている
表示装置。
【発明の詳細な説明】
【技術分野】
【０００１】
本開示は、例えば表示装置のバックライトユニットに用いられる発光装置、およびこれを備えた表示装置に関する。
【背景技術】
【０００２】
液晶表示装置などのバックライトには、発光ダイオード（ＬＥＤ：Light Emitting Diode）等の光源から出射した光を、導光板を用いて面発光させる面発光装置が用いられる。また、特許文献１には、光源としてレーザダイオード（laser diode）を用いた面発光装置が提案されている。
【先行技術文献】
【特許文献】
【０００３】
【特許文献１】特開２００９−８７５７０号公報
【発明の概要】
【発明が解決しようとする課題】
【０００４】
上記のようなレーザダイオードを用いた発光装置において、発光面内における輝度むらあるいは色むらを低減することが望まれている。
【０００５】
本開示はかかる問題点に鑑みてなされたもので、その目的は、発光面における輝度むらあるいは色むらを低減することの可能な発光装置、およびこれを備えた表示装置を提供することにある。
【課題を解決するための手段】
【０００６】
本開示の発光装置は、光入射面を有する導光部と、導光部の光入射面に対向すると共に第１方向に沿って配列され、それぞれが出射強度において異方性を有する複数の光源とを備えたものである。複数の光源から光入射面に照射されるパターン形状は形状異方性を有し、複数の光源はそれぞれ、パターン形状における長手方向が第１方向に対して傾斜するように、配置されている。
【０００７】
本開示の表示装置は、表示パネルとこの表示パネルを照明する上記本開示の発光装置とを備えたものである。
【０００８】
本開示の発光装置および表示装置では、導光部の光入射面に第１方向に沿って複数の光源が配列され、各光源が出射強度において異方性を有すると共に、光入射面に照射されるパターン形状が形状異方性を有する。このパターン形状における長手方向が第１方向から傾斜するように、複数の光源がそれぞれ配置されていることにより、光源同士の間において出射強度に差異がある場合にも、その差異の影響が軽減され、各光源に基づく輝度分布が均一となり易い。
【発明の効果】
【０００９】
本開示の発光装置および表示装置によれば、導光部の光入射面に第１方向に沿って配列された複数の光源を設け、各光源が出射強度において異方性を有すると共に、光入射面に照射されるパターン形状が形状異方性を有する。このパターン形状における長手方向が第１方向から傾斜するように、複数の光源をそれぞれ配置することで、光源同士の間において出射強度に差異がある場合にも、各光源に基づく輝度分布を均一にすることができる。よって、発光面における輝度むらあるいは色むらを低減することが可能となる。
【００１０】
尚、上記内容は本開示の一例である。本開示の効果は、上述したものに限らず、他の異なる効果であってもよいし、更に他の効果を含んでいてもよい。
【図面の簡単な説明】
【００１１】
【図１】本開示の第１の実施の形態に係るバックライトユニットの全体構成例を表す斜視図である。
【図２】図１に示したバックライトユニットの構成を表す断面図である。
【図３Ａ】図１に示した光源および第１導光板の概略構成を表す平面図である。
【図３Ｂ】図１に示した光源および第２導光板の概略構成を表す平面図である。
【図４Ａ】図３Ａに示した第１導光板のドットパターンを説明するための平面模式図である。
【図４Ｂ】図３Ｂに示した第１導光板のドットパターンを説明するための平面模式図である。
【図５Ａ】レーザダイオードの出射強度における異方性（指向性）について説明するための模式図である。
【図５Ｂ】レーザダイオードの出射強度（短手方向）の一例を表す特性図である。
【図５Ｃ】レーザダイオードの出射強度（長手方向）の一例を表す特性図である。
【図６】図１に示した光源の詳細配置例を表す斜視図である。
【図７Ａ】光源の基準配置（θｒ＝０°）を説明するための模式図である。
【図７Ｂ】光源の傾斜配置（θｒ＞０°）を説明するための模式図である。
【図８】図５に示した光源の好適配置を実現する設計パラメータを表す模式図である。
【図９】図５に示した光源の好適配置を実現する設計パラメータを表す模式図である。
【図１０】指向性の異なる光源の出射強度を表す特性図である。
【図１１Ａ】基準配置の場合の輝度分布を表す特性図である。
【図１１Ｂ】傾斜配置の場合の輝度分布を表す特性図である。
【図１２】図１１Ａおよび図１１Ｂの分布を説明するための模式図である。
【図１３】傾斜角を変化させた場合の輝度分布を表す特性図である。
【図１４Ａ】傾斜角３０°の場合の輝度分布を表す特性図である。
【図１４Ｂ】傾斜角６０°の場合の輝度分布を表す特性図である。
【図１５】変形例１に係る光源の配置例を表す斜視図である。
【図１６】図１５に示した光源および導光板のＹＺ平面図である。
【図１７】指向性の異なる光源の出射強度を表す特性図である。
【図１８Ａ】図１７に示した２種の光源（θｒ１＝θｒ２＝３０°）の輝度分布を表す特性図である。
【図１８Ｂ】図１７に示した２種の光源（θｒ１＝３０°，θｒ２＝２６°）の輝度分布を表す特性図である。
【図１９】本開示の第２の実施の形態に係る光源の配置例を表す斜視図である。
【図２０Ａ】図１９に示した一方の光源と導光板とのＸＺ断面図である。
【図２０Ｂ】図１９に示した他方の光源と導光板とのＸＺ断面図である。
【図２１】指向性の異なる光源の出射強度を表す特性図である。
【図２２Ａ】図２１に示した２種の光源（θｒ＝３０°，θｔ１＝θｔ２＝０°）の輝度分布を表す特性図である。
【図２２Ｂ】図２１に示した２種の光源（θｒ＝３０°，θｔ１＝３°，θｔ２＝０°）の輝度分布を表す特性図である。
【図２３】傾斜角を変化させた場合の輝度分布を表す特性図である。
【図２４Ａ】実施例に係る光源および第１導光板の設計の一例を表すＸＹ平面図である。
【図２４Ｂ】実施例に係る光源および第２導光板の設計の一例を表すＸＹ平面図である。
【図２５】図２４Ｂの一部を拡大して表すＸＹ平面図である。
【図２６】変形例２に係る光源の配置例を表す平面模式図である。
【図２７】図２６に示した構成により得られる効果を説明するための模式図である。
【図２８】変形例３に係る光源の配置例を表す平面模式図である。
【図２９】図２８に示した構成により得られる効果を説明するための模式図である。
【図３０Ａ】図２８に示した構成においてオフセットしない場合の発光輝度分布の一例である。
【図３０Ｂ】図２８に示した構成においてオフセットした場合の発光輝度分布の一例である。
【図３１】変形例４に係るバックライトユニットの概略構成を表す断面図である。
【図３２】変形例５に係るバックライトユニットの概略構成を表す断面図である。
【図３３】適用例に係る表示装置の概略構成を表す模式図である。
【図３４】テレビジョン装置の外観を表す斜視図である。
【図３５Ａ】電子ブックの外観を表す斜視図である。
【図３５Ｂ】他の電子ブックの外観を表す斜視図である。
【図３６】スマートフォンの外観を表す斜視図である。
【図３７Ａ】デジタルカメラの前方からの外観を表す斜視図である。
【図３７Ｂ】デジタルカメラの後方からの外観を表す斜視図である。
【図３８】ノート型パーソナルコンピュータの外観を表す斜視図である。
【図３９】ビデオカメラの外観を表す斜視図である。
【図４０Ａ】携帯電話機の閉じた状態の外観を表す正面図、左側面図、右側面図、上面図および下面図である。
【図４０Ｂ】携帯電話機の開いた状態の外観を表す正面図および側面図である。
【発明を実施するための形態】
【００１２】
以下、本開示の実施の形態について図面を参照して詳細に説明する。なお、説明は以下の順序で行う。
１．第１の実施の形態（複数のレーザ光源が、光軸を中心として回転した状態で配置されたバックライトユニットの例）
２．変形例１（レーザ光源の指向性に応じて、第１傾斜角度を変化させる場合の例）
３．第２の実施の形態（複数のレーザ光源が、導光板の光入射面に対して光軸を傾けた状態で配置されたバックライトユニットの例）
４．変形例２（光源を上下の導光板でオフセットして配置した場合の例）
５．変形例３（光源を導光板の他の側面に配置した場合の例）
６．変形例４（単色レーザ光源を用いる場合の例）
７．変形例５（レーザ光源とＬＥＤ光源とを組み合わせて用いる場合の例）
８．適用例
【００１３】
＜第１の実施の形態＞
［構成］
図１は、本開示の第１の実施の形態に係る発光装置（バックライトユニット１）の全体構成を表したものである。図２は、バックライトユニット１の断面構成を表すものである。バックライトユニット１は、例えば、透過型の液晶パネルを背後から照明するものであり、光源１０、第１導光板１１Ａ、第２導光板１１Ｂ、反射シート１２および光学シート１３を有している。尚、本実施の形態の第１導光板１０Ａおよび第２導光板１０Ｂが、本開示における「導光部」の一具体例に相当する。
【００１４】
光源１０は、点状光源であり、具体的にはレーザダイオード（半導体レーザ）を含んで構成されている。レーザダイオードとしては、例えば赤色、緑色あるいは青色の色光を出射するものが用いられる。この光源１０は、詳細は後述するが、第１導光板１１Ａおよび第２導光板１１Ｂの各光入射面Ｓ１１，Ｓ２１に対向して、複数、並列して設けられている。但し、光源１０は、発光ダイオード（ＬＥＤ：Light Emitting Diode）であってもよく、複数の光源１０の中には、レーザダイオードと発光ダイオードが混在していてもよい。
【００１５】
第１導光板１１Ａおよび第２導光板１１Ｂはいずれも、例えば板状（扁平な直方体形状）の光学部材である。第１導光板１１Ａは、光入射面Ｓ１１と光射出面（後述の光射出面Ｓ１２）とを有しており、光入射面Ｓ１１から入射した光を光射出面Ｓ１２へ導くものである。第２導光板１１Ｂは、光入射面Ｓ２１と光射出面（後述の光射出面Ｓ２２）とを有しており、光入射面Ｓ２１から入射した光を光射出面Ｓ２２へ導くものである。第１導光板１１Ａおよび第２導光板１１Ｂはそれぞれ、例えば、ポリカーボネート樹脂（ＰＣ）またはアクリル樹脂（例えば、ＰＭＭＡ（ポリメチルメタクリレート））などの透明熱可塑性樹脂を主に含んで構成されている。これらの第１導光板１１Ａおよび第２導光板１１Ｂは、例えばＺ方向に沿って重ねて配置され（積層され）、これにより第１導光板１１Ａおよび第２導光板１１Ｂ毎の出射光を重畳したものが、バックライトユニット１における発光輝度分布を形成する。
【００１６】
図３Ａは、第１導光板１１Ａと光源１０との配置構成を表すＸＹ平面図である。図３Ｂは、第２導光板１１Ｂと光源１０との配置構成を表すＸＹ平面図である。第１導光板１１Ａでは、１または複数の面（ここでは１つの側面）が光入射面Ｓ１１であると共に、１つの主面（第２導光板１１Ｂに対向する面）が光射出面Ｓ１２となっている。第２導光板１１Ｂでは、１または複数の面（ここでは１つの側面）が光入射面Ｓ２１であると共に、１つの主面（光学シート１３に対向する面）が光射出面Ｓ２２となっている。この例では、第２導光板１１Ｂの光射出面Ｓ２２が導光部全体の発光面を構成する。
【００１７】
これらの第１導光板１１Ａおよび第２導光板１１Ｂは、光入射面Ｓ１１と光入射面Ｓ２１とがＺ方向において重畳しないように、積層されている。具体的には、第１導光板１１Ａの光入射面Ｓ１１は、ＸＹ平面形状（例えば矩形状）の短辺に対応する２つの側面のうちの一方（例えば右の側面）に設けられ、第２導光板１１Ｂの光入射面Ｓ２１は、矩形状の短辺に対応する２つの側面のうちのもう一方（例えば左の側面）に設けられる。第１導光板１１Ａの光入射面Ｓ１１と、第２導光板１１Ｂの光入射面Ｓ２１とのそれぞれに対向して、かつ一の方向（後述の第１方向ｄ１）に沿って、複数の光源１０が配列されている。このような構成により、第１導光板１１Ａおよび第２導光板１１Ｂでは、互いに逆向きに光源１０からの光Ｌａ，Ｌｂを入射させる。
【００１８】
図４Ａは、第１導光板１１Ａのドットパターンを説明するための模式図である。図４Ｂは、第２導光板１１Ｂのドットパターンを説明するための模式図である。第１導光板１１Ａでは、例えば裏面（反射シート１２に対向する面）Ｓ１３に、微細なドット（凸部または凹部）が規則的または不規則的に（ランダムに）設けられてなるドットパターンを有している。第２導光板１１Ｂについても同様で、裏面（第１導光板１１Ａに対向する面）Ｓ２３に、ドットが規則的またはランダムに設けられてなるドットパターンを有している。
【００１９】
第１導光板１１Ａおよび第２導光板１１Ｂでは、上記ドットパターンにおけるドットの密度が、光入射面Ｓ１１，Ｓ２１からの距離に応じて変化するように構成されている。具体的には、第１導光板１１Ａでは、ドットの密度が、光入射面Ｓ１１から遠くなるに従って大きく（光入射面Ｓ１１に近くなるに従って小さく）なっている。第２導光板１１Ｂでは、ドットの密度が、光入射面Ｓ２１から遠くなるに従って大きく（光入射面Ｓ２１に近くなるに従って小さく）なっている。尚、ドット密度は、例えばドットの個数、ピッチおよび大きさなどを領域毎に変化させることにより、段階的に変化させることができる。
【００２０】
本実施の形態では、上記第１導光板１１Ａおよび第２導光板１１Ｂに向けて光を出射する光源１０が、光軸を中心として所定角度、回転した状態で、光入射面Ｓ１１，Ｓ２１に対向して設置されている。尚、以下では、特に区別する必要のない場合には、これらのうち、第１導光板１１Ａと、その光入射面Ｓ１１に対向配置された光源１０とを例に挙げて説明を行うが、第２導光板１１Ｂの光入射面Ｓ２１に対向する光源１０の配置構成についても、同様である。
【００２１】
ここで、光源１０は、例えばレーザダイオードであり、その出射光は出射強度において異方性を有する（指向性を有する）。具体的には、図５Ａに示したように、レーザダイオードとしての光源１０から出射した光は、光軸Ｅに垂直な面内において、形状異方性を有し、例えば楕円形状に拡がる（光源１０の出射光のファーフィールドパターン（ＦＦＰ）は楕円形状となる）。この楕円形状は、出射強度における半値角が最大となる方向に長軸ｄA、半値角が最小となる方向に短軸ｄBを有する。即ち、短軸ｄBに沿った方向（短手方向：図５Ｂ）と、長軸ｄAに沿った方向（長手方向：図５Ｃ）との各方向において出射強度が異なる。
【００２２】
長軸ｄAと短軸ｄBとは、互いに略９０°をなして交差している。また、出射強度における半値角の最大値（出射光の長軸ｄAに沿った断面における半値角）をθａ、最小値（出射光の短軸ｄBに沿った断面における半値角）をθｂとすると、例えば半値角θｂは、半値角θａの１／２程度以下である。
【００２３】
図６は、光源１０の光入射面Ｓ１１における詳細配置例を表す斜視図である。図７Ａは、光源１０の基準配置（傾斜角（回転角）θｒ＝０°）を表したものであり、図７Ｂは、光源１０の傾斜配置（傾斜角θｒ＞０°）を表したものである。このように、光源１０は、図７Ａに示した状態を基準として、図７Ｂに示したように、光軸周りに回転した状態で配置されている。尚、本実施の形態の傾斜角θｒが、本開示における「第１傾斜角度」の一具体例に相当する。
【００２４】
光源１０の出射光は指向性を有することから、光入射面Ｓ１１における照射領域の形状（パターン形状Ｌｐ）は、例えば上述したような長軸ｄAおよび短軸ｄBを有する楕円形状となる。本実施の形態では、そのパターン形状Ｌｐにおける長軸ｄA（長手方向）が、光入射面Ｓ１１における第１方向ｄ１（ここではＹ方向）に対して、傾斜するように光源１０が配置されている。光入射面Ｓ１１における第１方向ｄ１と長軸ｄAとのなす角（傾斜角θｒ）は、特に限定されるものではないが、望ましくは、光源１０のピッチ、半値角、混色距離等に応じて、適切な値に設定される。例えば、以下の条件式（１）を満足するとよい。但し、図８に示したように、光源１０と第１導光板１１Ａとの間の距離をＬ1、第１導光板１１Ａの厚みをｔとする。
２×Ｌ1×ｔａｎθａ×ｓｉｎθｒ≦ｔ    ………（１）
【００２５】
また、より望ましくは、光入射面Ｓ１１に配置される光源１０のうち、同じ種類の光源（半値角θａに対する半値角θｂの比率（θｂ／θａ）が互いに等しい光源）同士の間で、以下の条件式（２）から（４）を満足するとよい。但し、図９に示したように、第１導光板１１Ａにおける光入射面Ｓ１１から有効利用領域１１０までの距離をＬ2、長軸に対する短軸の比率が互いに等しい光源同士の間隔をＰ1、第１導光板１１Ａの屈折率をｎとする。
Ｐ1／２／ｔａｎθ2＜Ｌ2                    ………（２）
θ2＝ｓｉｎ-1（ｓｉｎθ1／ｎ）            ………（３）
θ1＝ｔａｎ-1（ｔａｎθａ×ｃｏｓθｒ）    ………（４）
【００２６】
尚、同じ種類の光源１０とは、例えば同一の色光を出射する光源１０が挙げられる。例えば、赤色光，緑色光，青色の光をそれぞれ出射する３種の光源１０が光入射面Ｓ１１に配置される場合には、各色の光源１０のそれぞれの組において上記条件式（２）〜（４）が満たされることが望ましい。また、有効利用領域１１０とは、各光源１０の出射光同士が混わり、むらの少ない面発光源として有効に利用可能な領域である。光入射面Ｓ１１から有効利用領域１１０までの距離Ｌ2は、例えば第１導光部１１Ａの導光長（ここでは第１導光板１１Ａの長辺に沿った長さ）の１／３に相当する。
【００２７】
このような条件を満たす傾斜角θｒは、例えば３０°程度以下である。傾斜角θｒは３０°より大きくてもよいが、あまり大きくなり過ぎると（例えば６０°以上になると）、光源１０の間隔方向（即ち第１方向ｄ１）における指向性が強くなり、発光輝度むらが生じ易くなる。
【００２８】
反射シート１２は、第１導光板１１Ａの裏面（光射出面Ｓ１２と対向する主面）と対向して設けられた板状またはシート状部材であり、第１導光板１１Ａ（あるいは第２導光板１１Ｂ）から漏れ出てきた光を、第１導光板１１Ａへ向けて戻すものである。反射シート１２は、例えば、反射、拡散、散乱などの機能を有しており、これにより光源１０からの光を効率的に利用し、正面輝度を高めることが可能となっている。
【００２９】
この反射シート１２は、例えば、発泡ＰＥＴ（ポリエチレンテレフタレート），銀蒸着フィルム，多層膜反射フィルム，または白色ＰＥＴにより構成されている。反射シート１２に正反射（鏡面反射）の機能を持たせる場合には、反射シート１２の表面は、銀蒸着，アルミニウム蒸着，または多層膜反射などの処理がなされたものであることが好ましい。反射シート１２に微細形状を付与する場合は、反射シート１２は、熱可塑性樹脂を用いた熱プレス成型，または溶融押し出し成型などの手法で一体的に形成されていてもよいし、また、例えばＰＥＴなどからなる基材上にエネルギー線（たとえば紫外線）硬化樹脂を塗布したのち、そのエネルギー線硬化樹脂に形状を転写して形成されていてもよい。ここで、熱可塑性樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。また、エネルギー線（たとえば紫外線）硬化樹脂に形状を転写する場合は、基材はガラスであってもよい。
【００３０】
光学シート１３は、第２導光板１１Ｂの光射出面Ｓ２２と対向して設けられ、例えば、拡散板，拡散シート，レンズフィルム，偏光分離シートなどを含んでいる。このような光学シート１３を設けることにより、第２導光板１１Ｂから斜め方向に出射した光を正面方向に立ち上げることが可能となり、正面輝度をさらに高めることが可能となる。
【００３１】
［作用および効果］
このバックライトユニット１では、光源１０から出射し、第１導光板１１Ａの光入射面Ｓ１１に入射した光は、第１導光板１１Ａの内部を進行して、光射出面Ｓ１２から出射する。一方、光源１０から出射し、第２導光板１１Ｂの光入射面Ｓ２１に入射した光は、第２導光板１１Ｂの内部を進行して、光射出面Ｓ２２から出射する。これらの第１導光板１１Ａと第２導光板１１Ｂとのそれぞれから出射された光が、光学シート１３を通過して発光として観測される。
【００３２】
ここで、光源１０は上述したように指向性を有し、光源１０から光入射面Ｓ１１に照射される光のパターン形状Ｌｐは形状異方性を有する。ところが、この指向性は、全ての光源１０において同一ではなく、微小な差異を有する。一例として、図１０に、指向性の異なる２種の光源の出射強度を示す。以下では、実線（Ａ１，Ａ２）で示した指向性を有するものを光源１０Ａとし、破線（Ｂ１，Ｂ２）で示した指向性を有するものを光源１０Ｂとする。尚、実線Ａ１は、光源１０Ａの出射光における長軸ｄAを通る断面の出射強度を示し、実線Ａ２は、光源１０Ａの出射光における短軸ｄBを通る断面の出射強度を示す。また、破線Ｂ１は、光源１０Ｂの出射光における長軸ｄAを通る断面の出射強度を示し、破線Ｂ２は、光源１０Ｂの出射光における短軸ｄBを通る断面の出射強度を示す。
【００３３】
光源１０として、上記のように指向性の異なる光源１０Ａ，１０Ｂを光入射面Ｓ１１，Ｓ２１に配列させた場合、特に短軸ｄBに対応する出射強度の差異（Ａ２とＢ２との差異；例えば図１０のＣの部分）が全体の発光輝度に影響を及ぼす。以下、そのような光源１０Ａ，１０Ｂを、光入射面Ｓ１１，Ｓ２１に対して、傾斜角θｒ＝０°となるように配置した場合（図７Ａに示した基準配置の場合）と、傾斜角θｒ＝３０°となるように配置した場合（図７Ｂに示した傾斜配置の場合）との各発光輝度について比較する。
【００３４】
図１１Ａに、光源１０Ａ，１０Ｂの基準配置の場合の輝度分布について、図１１Ｂに、光源１０Ａ，１０Ｂの傾斜配置の場合の輝度分布について、それぞれ示す。図１１Ａおよび図１１Ｂでは、光源１０Ａを用いて、光入射面Ｓ１１，Ｓ２１の両側から光を入射させた場合の輝度分布を実線で示し、片側（光入射面Ｓ１１）のみから入射させた場合の輝度分布を一点鎖線で示す。また、光源１０Ｂを用いて、光入射面Ｓ１１，Ｓ２１の両側から光を入射させた場合の輝度分布を破線で示し、片側（光入射面Ｓ１１）のみから入射させた場合の輝度分布を二点鎖線で示す。尚、これらの輝度分布は、図１２に示したように、第１導光板１１Ａ，第２導光板１１Ｂの中心線ｘ１における輝度分布である。また、距離は、光入射面Ｓ１１と光入射面Ｓ２１との間の中間位置を０とし、光入射面Ｓ２１側を＋（プラス）、光入射面Ｓ１１側を−（マイナス）とする。
【００３５】
図１１Ａに示したように、傾斜角θｒ＝０°の場合、光源１０Ａの出射光に基づく輝度分布と、光源１０Ｂの出射光に基づく輝度分布との間で、大きなばらつきが生じることがわかる。特に、中心位置でのばらつきが大きくなる。このため、図１０に示したような僅かな指向性の差異であっても、発光面では輝度むらを発生させる。また、光入射面Ｓ１１，Ｓ２１に、例えば赤色、緑色および青色等の発光色の異なるレーザダイオードが混在して配列している場合、個々の輝度分布にばらつきがあると、発光面全体において色むらが生じてしまう。
【００３６】
これに対し、図１１Ｂに示したように、傾斜角θｒ＝３０°の場合には、光源１０Ａの出射光に基づく輝度分布と、光源１０Ｂの出射光に基づく輝度分布とのばらつきが軽減されていることがわかる。従って、発光面での輝度むらの発生が低減される。また、光源１０として発光色の異なるレーザダイオードを用いる場合には、色むらの発生が抑制される。
【００３７】
また、図１３には、傾斜角θｒを例えば０°，１０°，１５°，２０°とした各場合の輝度比率のシミュレーション結果について示す。輝度比率は、発光面中央位置における輝度を１．０（片側からのみ光を入射させた場合には０．５）とした場合の相対輝度を表す。尚、傾斜角θｒ＝０°の場合については、実測値についても示す。実測値としては、光入射面Ｓ１１側からのみ光を入射させた場合（Ｌ：実測値）と、光入射面Ｓ２１側からのみ光を入射させた場合（Ｒ：実測値）と、光入射面Ｓ１１，Ｓ２１の両側から光を入射させた場合（Ｌ＋Ｒ：実測値）とについて示す。このように、傾斜角θｒの段階的変化に応じて、輝度分布も段階的に変化する。つまり、傾斜角θｒを調整することにより、輝度分布を調整することが可能である。また、感度（傾斜角θｒの変化に対する輝度分布の変化の割合）が高すぎることがなく、安定した調整が可能である。
【００３８】
更に、本実施の形態では、上述の条件式（１）および（２）〜（４）を満たすことが望ましい。例えば、これらの条件式を満たす場合（例えば、傾斜角θｒ＝３０°の場合）には、図１４Ａに示したように、発光面において輝度むらを低減することが可能である。仮に、上記条件式を満たさない場合（例えば、傾斜角θｒ＝６０°の場合）、図１４Ｂに示したように、発光面において筋状の輝度むらが生じ易い。
【００３９】
以上説明したように、本実施の形態のバックライトユニット１では、第１導光板１１Ａおよび第２導光板１１Ｂの光入射面Ｓ１１，Ｓ２１に、第１方向ｄ１（Ｙ方向）に沿って複数の光源１０が配列される。ここで、各光源１０は、光入射面Ｓ１１，Ｓ２１に照射されるパターン形状Ｌｐの長軸ｄAが第１方向ｄ１から傾斜するように、配置されている。これにより、光源１０同士の間において出射強度（指向性）に差異がある場合にも、その差異の影響を軽減し、各光源１０に基づく輝度分布を均一化することができる。よって、発光面内における輝度むらあるいは色むらを低減することが可能となる。
【００４０】
以下、上記第１の実施の形態の変形例および他の実施の形態について説明する。尚、上記第１の実施の形態の構成要素と同様の構成要素については同一の符号を付し、適宜説明を省略する。
【００４１】
＜変形例１＞
図１５は、変形例１に係る光源（光源１０Ｃ，１０Ｄ）の配置例を表す斜視図である。図１６は、図１５のＹＺ平面構成を模式的に表したものである。上記第１の実施の形態では、第１導光板１１Ａの光入射面Ｓ１１に光源１０が回転した状態で配置されることで輝度むらが低減されることを述べた。本変形例では、上記第１の実施の形態における光源１０の一例として、互いに指向性の異なる２種類の光源１０Ｃ，１０Ｄを挙げ、これらの光源１０Ｃ，１０Ｄのそれぞれにおいて、その指向性に応じて傾斜角θｒの大きさを変化させる。尚、ここでは、指向性の異なる光源１０として２種類の光源１０Ｃ，１０Ｄを例示するが、光源の種類は３つ以上であってもよい。例えば赤色、緑色および青色の発光色のレーザダイオードが用いられる場合には、発光色に対応した指向性に応じて各光源の傾斜角θｒが設定される。
【００４２】
光源１０Ｃの出射光では、例えば半値角θａに対する半値角θｂの比率（θｂ／θａ）が相対的に小さくなっている。換言すると、光源１０Ｃのパターン形状Ｌｐ１では、例えば長軸ｄAに対する短軸ｄBの比率（ｄB／ｄA）が相対的に小さい。一方、光源１０Ｄの出射光では、例えば半値角θａに対する半値角θｂの比率（θｂ／θａ）が相対的に大きくなっている。換言すると、光源１０Ｄのパターン形状Ｌｐ２では、例えば長軸ｄAに対する短軸ｄBの比率（ｄB／ｄA）が相対的に大きい。
【００４３】
光源１０Ｃ，１０Ｄでは、各出射光における上記比率（θｂ／θａ）が小さいほど、傾斜角θｒが大きくなるように設定されている。この例では、光源１０Ｄの出射光よりも、光源１０Ｃの出射光の比率（θｂ／θａ）が小さいことから、光源１０Ｃの傾斜角θｒ１が光源１０Ｄの傾斜角θｒ２よりも大きくなるように、光源１０Ｃ，１０Ｄが配置されている。
【００４４】
図１７に、上記光源１０Ｃ，１０Ｄの出射強度について示す。但し、光源１０Ｃの出射強度を実線（Ｃ１，Ｃ２）、光源１０Ｄの出射強度を破線（Ｄ１，Ｄ２）で示す。また、実線Ｃ１は、光源１０Ｃの出射光における長軸ｄAを通る断面の出射強度を示し、実線Ｃ２は、光源１０Ｃの出射光における短軸ｄBを通る断面の出射強度を示す。また、破線Ｄ１は、光源１０Ｄの出射光における長軸ｄAを通る断面の出射強度を示し、破線Ｄ２は、光源１０Ｄの出射光における短軸ｄBを通る断面の出射強度を示す。
【００４５】
図１８Ａに、光源１０Ｃ，１０Ｄの傾斜配置（θｒ１＝θｒ２＝３０°）の場合の輝度分布について、図１８Ｂに、光源１０Ｃ，１０Ｄの傾斜配置（θｒ１＝３０°，θｒ２＝２６°）の場合の輝度分布について、それぞれ示す。尚、図１８Ａおよび図１８Ｂでは、光源１０Ｃを用いて、光入射面Ｓ１１，Ｓ２１の両側から光を入射させた場合の輝度分布を実線で示し、片側（光入射面Ｓ１１）のみから入射させた場合の輝度分布を一点鎖線で示す。また、光源１０Ｄを用いて、光入射面Ｓ１１，Ｓ２１の両側から光を入射させた場合の輝度分布を破線で示し、片側（光入射面Ｓ１１）のみから入射させた場合の輝度分布を二点鎖線で示す。また、これらの輝度分布は、図１２に示したように、第１導光板１１Ａ，第２導光板１１Ｂの中心線ｘ１における輝度分布であり、距離は、光入射面Ｓ１１，Ｓ２１との間の中間位置を０とし、光入射面Ｓ２１側を＋、光入射面Ｓ１１側を−とする。
【００４６】
図１８Ａに示したように、光源１０Ｃ，１０Ｄを互いに同じ傾斜角で配置した場合、光源１０Ｃの出射光に基づく輝度分布と、光源１０Ｄの出射光に基づく輝度分布との間に、ばらつきが生じることがわかる。特に、中心位置でのばらつきが大きくなる。つまり、図１７に示したような指向性の差異があると、発光面において輝度むらが発生し得る。また、光入射面Ｓ１１，Ｓ２１に、例えば赤色、緑色および青色等の発光色の異なるレーザダイオードが混在して配列している場合、発光色の異なるレーザダイオードは、指向性も異なることから、個々の輝度分布にばらつきがあると、発光面全体において色むらが生じることもある。
【００４７】
これに対し、図１８Ｂに示したように、比率（θｂ／θａ）が相対的に小さい光源１０Ｃでは傾斜角θｒ１＝３０°とし、比率（θｂ／θａ）が相対的に大きい光源１０Ｄでは、傾斜角θｒ２＝２６°とした場合、両者の輝度分布の間でばらつきが軽減されている。従って、例えば発光色の異なるレーザダイオードを光源１０として用いる場合などに、各光源１０の指向性に応じて傾斜角θｒを設定することで、輝度むらの発生をより効果的に低減することができる。また、これにより、色むらの発生を抑制できる。
【００４８】
＜第２の実施の形態＞
図１９は、第２の実施の形態に係る光源（光源１０Ｅ，１０Ｆ）の配置例を表す斜視図である。図２０Ａは、図１９に示した光源１０ＥのＸＺ断面構成を模式的に表したものである。図２０Ｂは、図１９に示した光源１０ＦのＸＺ断面構成を模式的に表したものである。上記第１の実施の形態および変形例１では、第１導光板１１Ａの光入射面Ｓ１１に対向して、光源１０が光軸周りに回転した状態で配置される場合について説明した。本実施の形態では、上述の光源１０の一例として、互いに指向性の異なる光源１０Ｅ，１０Ｆを挙げ、これらの光源１０Ｅ，１０Ｆが、光入射面Ｓ１１に垂直な（光入射面Ｓ１１の法線方向となる）第２方向ｄ２（Ｘ方向）に対して傾斜するように、配置する。また、その傾斜角（傾斜角θｔ）は、光源１０Ｅ，１０Ｆの指向性に応じて設定されることが望ましい。尚、ここでは、指向性の異なる光源１０として２種類の光源１０Ｅ，１０Ｆを例示するが、光源の種類は３つ以上であってもよい。例えば赤色、緑色および青色の発光色のレーザダイオードが用いられる場合には、発光色毎の指向性に応じて各光源の傾斜角θｔが設定されるとよい。尚、本実施の形態における傾斜角θｔが、本開示における「第２傾斜角度」の一具体例に相当する。
【００４９】
光源１０Ｅの出射光では、例えば半値角θａに対する半値角θｂの比率（θｂ／θａ）が相対的に小さくなっている。換言すると、光源１０Ｅのパターン形状Ｌｐ３では、例えば長軸ｄAに対する短軸ｄBの比率（ｄB／ｄA）が相対的に小さい。一方、光源１０Ｆの出射光では、例えば半値角θａに対する半値角θｂの比率（θｂ／θａ）が相対的に大きくなっている。換言すると、光源１０Ｆのパターン形状Ｌｐ４では、例えば長軸ｄAに対する短軸ｄBの比率（ｄB／ｄA）が相対的に大きい。
【００５０】
光源１０Ｅ，１０Ｆでは、各出射光における上記比率（θｂ／θａ）が小さいほど、傾斜角θｔが大きくなるように設定されている。この例では、光源１０Ｆの出射光よりも、光源１０Ｅの出射光における比率（θｂ／θａ）の方が小さいため、光源１０Ｅの傾斜角θｔ１が光源１０Ｆの傾斜角θｔ２よりも大きくなるように、光源１０Ｅ，１０Ｆが配置されている。後述の例では、例えば傾斜角θｔ１＝３°，θｔ２＝０°とされる。このように、本実施の形態では、どちらか一方（例えば傾斜角θｔ２）が０°であってもよく、必ずしも、傾斜角θｔ１，θｔ２のいずれもが０°より大きくなるように設定される必要はない。尚、この例においても、光源１０Ｅ，１０Ｆは、上記第１の実施の形態と同様、パターン形状Ｌｐ３，Ｌｐ４の長軸ｄAが第１方向ｄ１に対して傾斜するように、配置されている。
【００５１】
図２１に、上記光源１０Ｅ，１０Ｆの出射強度について示す。但し、光源１０Ｅの出射強度を実線（Ｅ１，Ｅ２）、光源１０Ｆの出射強度を破線（Ｆ１，Ｆ２）で示す。また、実線Ｅ１は、光源１０Ｅの出射光における長軸ｄAを通る断面の出射強度を示し、実線Ｅ２は、光源１０Ｅの出射光における短軸ｄBを通る断面の出射強度を示す。また、破線Ｆ１は、光源１０Ｆの出射光における長軸ｄAを通る断面の出射強度を示し、破線Ｆ２は、光源１０Ｆの出射光における短軸ｄBを通る断面の出射強度を示す。
【００５２】
図２２Ａに、光源１０Ｅ，１０Ｆの傾斜配置（θｒ＝３０°，θｔ１＝θｔ２＝０°）の場合の輝度分布について、図２２Ｂに、光源１０Ｅ，１０Ｆの傾斜配置（θｒ＝３０°，θｔ１＝３°，θｔ２＝０°）の場合の輝度分布について、それぞれ示す。尚、図２２Ａおよび図２２Ｂでは、光源１０Ｅを用いて、光入射面Ｓ１１，Ｓ２１の両側から光を入射させた場合の輝度分布を実線で示し、片側（光入射面Ｓ１１）のみから入射させた場合の輝度分布を一点鎖線で示す。また、光源１０Ｆを用いて、光入射面Ｓ１１，Ｓ２１の両側から光を入射させた場合の輝度分布を破線で示し、片側（光入射面Ｓ１１）のみから入射させた場合の輝度分布を二点鎖線で示す。また、これらの輝度分布は、図１２に示したように、第１導光板１１Ａ，第２導光板１１Ｂの中心線ｘ１における輝度分布であり、距離は、光入射面Ｓ１１，Ｓ２１との間の中間位置を０とし、光入射面Ｓ２１側を＋、光入射面Ｓ１１側を−とする。
【００５３】
図２２Ａに示したように、光源１０Ｅ，１０Ｆを傾斜角θｒ（＝３０°）で配置した場合であっても、傾斜角θｔ１，θｔ２＝０°の場合には、光源１０Ｅの出射光に基づく輝度分布と、光源１０Ｆの出射光に基づく輝度分布との間に、ばらつきが生じる。特に、中心位置でのばらつきが大きくなる。つまり、図２１に示したような指向性の差異があると、発光面において輝度むらが発生し得る。また、光入射面Ｓ１１，Ｓ２１に、例えば赤色、緑色および青色等の発光色の異なるレーザダイオードが混在して配列する場合、個々の輝度分布にばらつきがあると、発光面全体において色むらが生じることもある。
【００５４】
これに対し、図２２Ｂに示したように、比率（θｂ／θａ）が相対的に小さい光源１０Ｅでは傾斜角θｔ１＝３°とし、比率（θｂ／θａ）が相対的に大きい光源１０Ｆでは、傾斜角θｔ２＝０°とした場合、両者の輝度分布の間でばらつきが軽減される。従って、上記第１の実施の形態および変形例１と同様、輝度むらの発生が低減される。また、光源１０として発光色の異なる複数種類のレーザダイオードを用いる場合には、色むらの発生が抑制される。
【００５５】
本実施の形態のように、光軸が第２方向ｄ２に対して傾斜するように光源１０を配置した場合であっても、上記第１の実施の形態と同等の効果を得ることができる。また、上記第１の実施の形態における傾斜配置と、本実施の形態における傾斜配置とを組み合わせて用いてもよい。
【００５６】
また、図２３には、傾斜角θｔを例えば０°，３°，５°，１０°とした各場合の輝度比率のシミュレーション結果について示す。輝度比率は、発光面中央位置における輝度を１．０（片側からのみ光を入射させた場合には０．５）とした場合の相対輝度を表す。尚、傾斜角θｔ＝０°の場合については、実測値についても示す。実測値としては、光入射面Ｓ１１側からのみ光を入射させた場合（Ｌ：実測値）と、光入射面Ｓ２１側からのみ光を入射させた場合（Ｒ：実測値）と、光入射面Ｓ１１，Ｓ２１の両側から光を入射させた場合（Ｌ＋Ｒ：実測値）とについて示す。このように、上述の傾斜角θｒの場合と同様、傾斜角θｔの段階的変化に応じて、輝度分布も段階的に変化する。つまり、傾斜角θｔを調整することによっても、輝度分布を調整することが可能である。但し、傾斜角θｔの調整する場合には、感度（傾斜角θｔの変化に対する輝度分布の変化の割合）が非常に高くなる。このため、傾斜角θｔの調整は、傾斜角θｒを用いた調整の補助的な手段として行うとよい。例えば、本実施の形態のように、傾斜角θｒを所定の角度に調整して輝度分布のばらつきを軽減した後、傾斜角θｔを微調整することで、より均一な輝度分布を得ることができる。
【００５７】
（実施例）
図２４Ａおよび図２４Ｂは、上記第１の実施の形態、変形例１および第２の実施の形態において説明した、光源１０、第１導光板１１Ａ、第２導光板１１Ｂの設計の一例を表したものである。また、図２５は、図２４Ｂの破線で囲んだ領域を拡大したものである。このように、第１導光板１１Ａおよび第２導光板１１Ｂはいずれも、例えばＸＹ平面形状が矩形状であり、その短辺が６９７ｍｍ、長辺が１２２０ｍｍとなっている。また、厚みは例えば２ｍｍである。第１導光板１１Ａおよび第２導光板１１Ｂでは、光入射面Ｓ１１，Ｓ２１に複数の光源１０の組からなる光源ブロックＧが、所定のピッチ（ブロックピッチ）で配置されている。ブロックピッチは例えば７４．４ｍｍである。各光源ブロックＧでは、例えば２つの光源１０（Ｒ）と、１つの光源１０（Ｇ）と、１つの光源１０（Ｂ）とが、所定のピッチ（例えば７．０ｍｍ）で配置されている。
【００５８】
光源１０（Ｒ）は、赤色光を出射するレーザダイオードであり、光源１０（Ｇ）は、緑色光を出射するレーザダイオードであり、光源１０（Ｂ）は、青色光を出射するレーザダイオードである。光源１０（Ｒ），１０（Ｇ），１０（Ｂ）のように、発光色の異なるレーザダイオードが用いられる場合には、それぞれの指向性に応じて、光源１０（Ｒ），１０（Ｇ），１０（Ｂ）の各傾斜角θｒ（あるいは傾斜角θｔ）が設定されるとよい。例えば、光源１０（Ｒ）では傾斜角θｒ＝１２°、光源１０（Ｇ）では傾斜角θｒ＝２６°、光源１０（Ｂ）では傾斜角θｒ＝３０°、となるようにそれぞれ配置されることで、上述したような輝度むらあるいは色むらを軽減することができる。
【００５９】
＜変形例２＞
図２６は、上記実施の形態等の光源１０の他の配置例を表す平面模式図である。上記第１の実施の形態では、光源１０が第１導光板１１Ａの光入射面Ｓ１１と、第２導光板１１Ｂの光入射面Ｓ２１とのそれぞれに対向して、複数配置されている場合を例示したが、本変形例では、これらの複数の光源１０の位置が、第１導光板１１Ａと第２導光板１１Ｂとの間でオフセットされている。具体的には、発光面に平行な面内において、光入射面Ｓ１１に対向する光源１０（第１光源）と、光入射面Ｓ２１に対向する光源１０（第２光源）とが、互いに異なる軸上に配置されるように（互いの光軸が重ならないように）、光源１０の各位置をシフトさせている。
【００６０】
これにより、図２７に模式的に示したように、光入射面Ｓ１１側から入射する光Ｌａと、光入射面Ｓ２１側から入射する光Ｌｂとが、発光面に平行な面内において互い違いの線上を進行し、発光面において筋状の輝度むらを低減することができる。
【００６１】
＜変形例３＞
図２８は、上記実施の形態等の光源１０の他の配置例を表す平面模式図である。上記第１の実施の形態では、光入射面Ｓ１１，Ｓ２１を、第１導光板１１Ａおよび第２導光板１１Ｂの各矩形状の短辺に対応する側面としたが、光入射面Ｓ１１，Ｓ２１は、本変形例のように、第１導光板１１Ａおよび第２導光板１１Ｂの各矩形状の長辺に対応する側面であってもよい。また、この場合も、上記変形例２と同様、各光源１０の位置を第１導光板１１Ａと第２導光板１１Ｂとの間でオフセットしてもよい。これにより、図２９に示したように、筋状の輝度むらを低減することができる。
【００６２】
ここで、図３０Ａおよび図３０Ｂに、長辺に対応して光入射面Ｓ１１，Ｓ２１を設けた場合の発光輝度の一例を示す。但し、図３０Ａは、光源１０の位置をオフセットしない場合の輝度分布を示し、図３０Ｂはオフセットした場合の輝度分布を示す。長辺に対応して光入射面Ｓ１１，Ｓ２１を設ける場合に、光源位置をオフセットすると、オフセットしない場合に比べて、発光面の特定の角部（例えば破線で囲んだ部分）において光量が不足し、局所的に暗くなる。このため、そのような局所部分の光量を補うために、対応箇所（図２８の領域ｈ）の光源１０の出力を選択的に増大させてもよい。
【００６３】
＜変形例４＞
図３１は、変形例４に係るバックライトユニットの断面構成を表したものである。上記実施の形態等では、複数の光源１０として、赤色、緑色、青色の色光を出射するレーザダイオードを用いた構成を例示したが、本変形例のように単色のレーザダイオードを用いてもよい。例えば、第１導光板１１Ａの光入射面Ｓ１１と、第２導光板１１Ｂの光入射面Ｓ２１とのそれぞれに対向して、青色光を出射するレーザダイオードからなる光源１０（Ｂ）を複数配列させてもよい。この場合、光源１０（Ｂ）の傾斜角θｒは例えば３０°とすることができる。また、第２導光板１１Ｂの光射出面Ｓ２２と、光学シート１３との間に、波長変換シート１４が設けられる。波長変換シート１４は、例えば青色光の一部を赤色光、緑色光あるいは黄色光などの他の波長に変換する蛍光材料を含んで構成されている。これにより、青色光と波長変換後の光との混色により、例えば白色の発光が得られる。
【００６４】
＜変形例５＞
図３２は、変形例５に係るバックライトユニットの断面構成を表したものである。上記実施の形態等では、光源１０として、レーザダイオードを用いた構成を例示したが、本変形例のようにレーザダイオードと発光ダイオードとを併用してもよい。この場合、例えば、赤色光を出射するレーザダイオードからなる光源１０（Ｒ）と、シアン（Ｃ）の色光を発する発光ダイオードからなる光源１０LEDとを用いることができる。光源１０LEDは、例えば青色光を発する発光ダイオードチップと、緑色蛍光体（青色を緑色へ波長変換する蛍光体）とを組み合わせて構成されている。この場合、光源１０（Ｒ）の傾斜角θｒは例えば１２°とすることができる。
【００６５】
光源１０（Ｒ）は、例えば、第１導光板１１Ａの光入射面Ｓ１１と、第２導光板１１Ｂの光入射面Ｓ２１とのそれぞれに対向して、複数配列して設けられている。また、第１導光板１１Ａと反射シート１２との間に、更に第３導光板１１Ｃが設けられ、この第３導光板１１Ｃの側面に対向して光源１０LEDが複数設けられている。尚、第３導光板１１Ｃでは、対向する２つの側面に光源１０LEDが設けられている。このため、第３導光板１１Ｃでは、上述したようなドットパターンにおけるドットの密度は、第３導光板１１Ｃの一方の側面（光入射面）から他方の側面（光入射面）に向かって、例えば小（疎）→大（密）→小（疎）となるように段階的に変化している。
【００６６】
＜適用例＞
上記のようなバックライトユニット１は、例えば図３３に示した表示装置２に組み込まれ、以下の電子機器に適用することができる。表示装置２は、例えば液晶ディスプレイである。この表示装置１では、例えば液晶パネル２０の光入射側および光出射側に偏光板２１ａ，２１ｂが積層されると共に、バックライトユニット１がその液晶パネル２０を背面側から照明するように構成されている。電子機器としては、例えば以下に挙げるようなテレビジョン装置，電子ブック、スマートフォン、デジタルカメラ，ノート型パーソナルコンピュータ、ビデオカメラおよび携帯電話機等が挙げられる。言い換えると、上記バックライトユニット１を用いた表示装置２は、外部から入力された映像信号あるいは内部で生成した映像信号を、画像あるいは映像として表示するあらゆる分野の電子機器に適用することが可能である。
【００６７】
（適用例１）
図３４は、テレビジョン装置として用いられるものであり、画像表示のための平板状の本体部１０２をスタンド１０３により支持した構成を有している。尚、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。本体部１０２が、上記の表示装置２を含んで構成されている。
【００６８】
（適用例２）
図３５Ａは、電子ブックの外観を表したものである。図３５Ｂは、他の電子ブックの外観を表したものである。これらの電子ブックは、いずれも、例えば表示部２１０および非表示部２２０を有しており、表示部２１０が上記の表示装置２により構成されている。
【００６９】
（適用例３）
図３６は、スマートフォンの外観を表したものである。このスマートフォンは、例えば、表示部２３０および非表示部２４０を有しており、表示部２３０が上記の表示装置２により構成されている。
【００７０】
（適用例４）
図３７Ａおよび図３７Ｂは、デジタルカメラの外観を表したものである。図３７Ａは、そのデジタルカメラをその前方（被写体側）から眺めた外観を表し、図３７Ｂは、そのデジタルカメラをその後方（像側）から眺めた外観を表す。このデジタルカメラは、例えば、フラッシュ用の発光部４１０、表示部４２０、メニュースイッチ４３０およびシャッターボタン４４０を有しており、表示部４２０が上記の表示装置２により構成されている。
【００７１】
（適用例５）
図３８は、ノート型パーソナルコンピュータの外観を表したものである。このノート型パーソナルコンピュータは、例えば、本体５１０，文字等の入力操作のためのキーボード５２０および画像を表示する表示部５３０を有しており、表示部５３０が上記の表示装置２により構成されている。
【００７２】
（適用例６）
図３９は、ビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。表示部６４０が上記の表示装置２により構成されている。
【００７３】
（適用例７）
図４０Ａおよび図４０Ｂは、携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。これらのうちのディスプレイ７４０またはサブディスプレイ７５０が、上記の表示装置２により構成されている。
【００７４】
以上、実施の形態および変形例を挙げて説明したが、本開示は上記実施の形態等に限定されるものではなく、種々の変形が可能である。例えば、上記実施の形態等では、導光板の１つの側面を光入射面としたが、２つ以上の側面を光入射面とし、各光入射面に対向して光源が配置されていてもよい。
【００７５】
また、上記実施の形態等では、２つの導光板（第１導光板１１Ａ，第２導光板１１Ｂ）を積層した場合を例に挙げて説明したが、本開示の導光部は、これに限らず、１枚の導光板から構成されていてもよいし、３枚以上の導光板が積層されたものであってもよい。
【００７６】
更に、上記実施の形態において説明した各層の材料および厚みなどは限定されるものではなく、他の材料および厚みとしてもよい。また、上記実施の形態等において説明した効果は一例であり、他の効果であってもよいし、更に他の効果を含んでいてもよい。
【００７７】
また、本開示は以下のような構成を取り得るものである。
（１）
光入射面を有する導光部と、
前記導光部の前記光入射面に対向すると共に第１方向に沿って配列され、それぞれが出射強度において異方性を有する複数の光源と
を備え、
前記複数の光源から前記光入射面に照射されるパターン形状は形状異方性を有し、
前記複数の光源はそれぞれ、前記パターン形状における長手方向が前記第１方向に対して傾斜するように、配置されている
発光装置。
（２）
前記複数の光源は、
出射光における半値角の最大値に対する最小値の比率が互いに異なる２種以上の光源を含み、
前記比率が小さいほど、前記長手方向の前記第１方向に対する第１傾斜角度が大きくなるように配置されている
上記（１）に記載の発光装置。
（３）
前記複数の光源は、各光軸が、前記光入射面に垂直な第２方向に対して傾斜するように配置されている
上記（１）または（２）に記載の発光装置。
（４）
前記複数の光源は、
出射光における半値角の最大値に対する最小値の比率が互いに異なる２種以上の光源を含み、
前記比率が小さいほど、前記光軸の前記第２方向に対する第２傾斜角度が大きくなるように配置されている
上記（３）に記載の発光装置。
（５）
前記２種以上の光源は、赤色，緑色および青色のいずれかの色光を出射するレーザダイオードである
上記（２）または（４）に記載の発光装置。
（６）
以下の条件式（１）を満たす
上記（１）〜（５）のいずれかに記載の発光装置。
２×Ｌ1×ｔａｎθａ×ｓｉｎθｒ≦ｔ    ………（１）
但し、
Ｌ1：光源と導光部との間の距離
θａ：光源の出射光における半値角の最大値
θｒ：長手方向の第１方向に対する第１傾斜角度
ｔ：導光部の厚み
とする。
（７）
前記複数の光源のうち、出射光における半値角の最大値に対する最小値の比率が互いに等しい光源同士の間で、以下の条件式（２）から（４）を満たす
上記（１）〜（６）のいずれかに記載の発光装置。
Ｐ1／２／ｔａｎθ2＜Ｌ2                    ………（２）
θ2＝ｓｉｎ-1（ｓｉｎθ1／ｎ）            ………（３）
θ1＝ｔａｎ-1（ｔａｎθａ×ｃｏｓθｒ）    ………（４）
但し、
Ｌ2：導光部における光入射面から有効利用領域までの距離
Ｐ1：半値角の最大値に対する最小値の比率が互いに等しい光源同士の間隔
ｎ：導光部の屈折率
θａ：光源の出射光における半値角の最大値
θｒ：長手方向の第１方向に対する第１傾斜角度
（８）
前記導光部における前記光入射面から前記有効利用領域までの距離Ｌ2は、前記導光部の導光長の１／３に相当する
上記（７）に記載の発光装置。
（９）
前記導光部は、
互いに対向する一対の主面を含む板状部材であり、
前記一対の主面のうちの一方の主面が光射出面であり、前記板状部材の側面が前記光入射面である
上記（１）〜（８）のいずれかに記載の発光装置。
（１０）
前記導光部が積層された第１導光部と第２導光部とを有し、
前記第１導光部の光入射面と前記第２導光部の光入射面とは、積層方向において互いに重畳しないように配置されている
上記（９）に記載の発光装置。
（１１）
前記複数の光源は、
前記第１導光部の光入射面に対向配置された第１光源と、
前記第２導光部の光入射面に対向配置された第２光源とを含み、
発光面に平行な面内において、前記第１光源と前記第２光源とが互いに異なる軸上に配置されている
上記（１０）に記載の発光装置。
（１２）
前記複数の光源はそれぞれ、青色光を出射するレーザダイオードであり、
前記導光部の光射出面に対向して波長変換シートを更に備えた
上記（１）〜（１１）のいずれかに記載の発光装置。
（１３）
前記複数の光源は、レーザダイオードと発光ダイオードとを含む
上記（１）〜（１２）のいずれかに記載の発光装置。
（１４）
表示パネルと、前記表示パネルを照明する発光装置とを備え、
前記発光装置は、
光入射面を有する導光部と、
前記導光部の前記光入射面に対向すると共に第１方向に沿って配列され、それぞれが出射強度において異方性を有する複数の光源と
を備え、
前記複数の光源から前記光入射面に照射されるパターン形状は形状異方性を有し、
前記複数の光源はそれぞれ、前記パターン形状における長手方向が前記第１方向に対して傾斜するように、配置されている
表示装置。
【符号の説明】
【００７８】
１…バックライトユニット、１０（１０Ａ〜１０Ｆ）…光源、１１Ａ…第１導光板、１１Ｂ…第２導光板、１２…反射シート、１３…光学シート、１４…波長変換シート、Ｓ１１，Ｓ２１…光入射面、Ｓ１２，Ｓ２２…光射出面、Ｌｐ，Ｌｐ１〜Ｌｐ４…パターン形状、ｄA…長軸、ｄB…短軸、ｄ１…第１方向、ｄ２…第２方向、θａ，θｂ…半値角、θｒ（θｒ１，θｒ２）…傾斜角、θｔ（θｔ１，θｔ２）…傾斜角。
【図１】
2015090959.tif 000003
【図２】
2015090959.tif 000004
【図３Ａ】
2015090959.tif 000005
【図３Ｂ】
2015090959.tif 000006
【図４Ａ】
2015090959.tif 000007
【図４Ｂ】
2015090959.tif 000008
【図５Ａ】
2015090959.tif 000009
【図５Ｂ】
2015090959.tif 000010
【図５Ｃ】
2015090959.tif 000011
【図６】
2015090959.tif 000012
【図７Ａ】
2015090959.tif 000013
【図７Ｂ】
2015090959.tif 000014
【図８】
2015090959.tif 000015
【図９】
2015090959.tif 000016
【図１０】
2015090959.tif 000017
【図１１Ａ】
2015090959.tif 000018
【図１１Ｂ】
2015090959.tif 000019
【図１２】
2015090959.tif 000020
【図１３】
2015090959.tif 000021
【図１４Ａ】
2015090959.tif 000022
【図１４Ｂ】
2015090959.tif 000023
【図１５】
2015090959.tif 000024
【図１６】
2015090959.tif 000025
【図１７】
2015090959.tif 000026
【図１８Ａ】
2015090959.tif 000027
【図１８Ｂ】
2015090959.tif 000028
【図１９】
2015090959.tif 000029
【図２０Ａ】
2015090959.tif 000030
【図２０Ｂ】
2015090959.tif 000031
【図２１】
2015090959.tif 000032
【図２２Ａ】
2015090959.tif 000033
【図２２Ｂ】
2015090959.tif 000034
【図２３】
2015090959.tif 000035
【図２４Ａ】
2015090959.tif 000036
【図２４Ｂ】
2015090959.tif 000037
【図２５】
2015090959.tif 000038
【図２６】
2015090959.tif 000039
【図２７】
2015090959.tif 000040
【図２８】
2015090959.tif 000041
【図２９】
2015090959.tif 000042
【図３０Ａ】
2015090959.tif 000043
【図３０Ｂ】
2015090959.tif 000044
【図３１】
2015090959.tif 000045
【図３２】
2015090959.tif 000046
【図３３】
2015090959.tif 000047
【図３４】
2015090959.tif 000048
【図３５Ａ】
2015090959.tif 000049
【図３５Ｂ】
2015090959.tif 000050
【図３６】
2015090959.tif 000051
【図３７Ａ】
2015090959.tif 000052
【図３７Ｂ】
2015090959.tif 000053
【図３８】
2015090959.tif 000054
【図３９】
2015090959.tif 000055
【図４０Ａ】
2015090959.tif 000056
【図４０Ｂ】
2015090959.tif 000057